(57)【特許請求の範囲】
【請求項１】
支持ポールの一側部および他側部に防犯センサを支持した支持構造において前記両防犯センサ間の隙間を覆う化粧カバーであって、
支持ポールの長手方向に２分割された一対のカバー片を有し、
前記各カバー片が、前後一対の側壁とこれら両側壁の一端部同士を接続する接続壁とを有し、
前記一対のカバー片における相対向する他端部同士が着脱自在な連結具により連結され、
前記各カバー片に、前記両防犯センサにばね力で押し当てられて前記カバー片を両防犯センサ間の中間に位置決めする位置決め機構が設けられている防犯用センサ装置の化粧カバー。
【請求項２】
請求項１において、前記各位置決め機構は、一方の防犯センサに接触する第１の接触子と、他方の防犯センサに接触する第２の接触子と、前記各接触子を対応する防犯センサに向けて進出させるばね体と、前記各接触子に設けた係止部に進出限界位置で係止して、前記各接触子を進出限界で位置決めする被係止部とを有する防犯用センサ装置の化粧カバー。
【請求項３】
上下方向に延びる支持ポールの一側部および他側部に防犯センサを支持し、前記両防犯センサ間の隙間を化粧カバーで覆った取付構造であって、
上下方向に２分割された一対のカバー片を有し、
前記各カバー片が、前後一対の側壁とこれら両側壁の一端部同士を接続する接続壁とを有し、
前記一対のカバー片における相対向する他端部同士が着脱自在な連結具により連結され、
前記化粧カバーは上側の第１カバー片と下側の第２カバー片とを有し、前記第２カバー片が前記支持ポールに側方から嵌まり込む係合孔を有している防犯用センサ装置の取付構造。
【請求項４】
請求項３において、少なくとも前記第１カバー片の前記接続壁が前記支持ポールを挿通させる挿通孔を選択的に形成させるノックアウト板を有している防犯用センサ装置の取付構造。
【請求項５】
請求項４において、下側の前記第２カバー片の前記接続壁も前記ノックアウト板を有し、
さらに、前記各カバー片の前記接続壁が、前記両側壁に一体形成された壁本体と、この壁本体に着脱自在に取り付けられ、前記壁本体に取り付けられたときに前記壁本体との間に前記支持ポールの挿通孔を形成する分離壁とを有する防犯用センサ装置の取付構造。
【発明の詳細な説明】
【技術分野】
【０００１】
本発明は、支持ポールの両側に一対の防犯センサが支持された防犯用センサ装置における両防犯センサ間の隙間を覆う化粧カバーに関するものである。
【背景技術】
【０００２】
警戒距離が比較的長い警戒区域に使用される能動型のセンサ装置では、投光器と受光器とからなるセンサセットを複数、例えば２つ直列に並べる場合がある。その場合、一般に警戒区域の両端の支持ポールのそれぞれに、投光器または受光器あるいはその両方を含む防犯センサを取り付け、中央の支持ポールに、前記防犯センサとの間で検知線を授受する別の一対の防犯センサを、背中合わせの配置で取り付ける。このような配置において、両防犯センサ間の支持ポールを見えなくして美観の向上を図るとともに、両防犯センサに接続されている配線を悪戯されないように隠蔽することを目的として、背中合わせの二つの防犯センサ間の隙間を覆う化粧カバーを取り付けることが知られている（非特許文献１参照）。
【０００３】
上記化粧カバーは以下のような施工手順で取り付けられる。すなわち、図７に示すように、先ず、第１の防犯センサ（例えば受光器）５０Ａの取付プレート５１が、これの挿通孔５１ａに挿通したねじ体５９を、支持ポール５４に当てがわれた半円形状の取付金具５８Ａの両端部のねじ孔５８ａにねじ込むことにより、支持ポール５４に固定される。つぎに、第１の防犯センサ５０Ａのセンサ本体５２がねじ体（図示せず）の締結により取付プレート５１に取り付けられ、このセンサ本体５２にセンサカバー５３を被せてねじ体（図示せず）を締結することにより、第１の防犯センサ５０Ａが支持ポール５４に支持される。つづいて、図８に示すように、第２の防犯センサ（例えば受光器）５０Ｂの取付プレート６０が、上述と同様に、ねじ体５９を取付金具５８Ｂの両端部のねじ孔５８ａにねじ込むことにより支持ポール５４に固定される。この取付プレート６０には、化粧カバー取付用のねじ孔６１ａを有する４つの取付突部６１が側方に突設されている。
【０００４】
つぎに、取付プレート６０に化粧カバー６２が取り付けられる。この化粧カバー６２は、帯状の板金を曲げ加工して、相対向する一対の側壁６２ａ，６２ｂと、この両側壁６２ａ，６２ｂの上端部を接続する上壁６２ｃと、両側壁６２ａ，６２ｂの相対向する内面にそれぞれ２つずつ設けられた取付片６２ｄと、この各取付片６２ｄに形成された挿通孔６２ｅとを有している。側壁６２ａ，６２ｂの下端部は開放されている。化粧カバー６２は、ねじ体６３が化粧カバー６２の各挿通孔６２ｅに挿通されて取付プレート６０の取付突部６１のねじ孔６１ａにねじ込まれることにより、支持ポール５４に固定済みの取付プレート６０に取り付けられる。最後に、第２の防犯センサ５０Ｂが上述した第１の防犯センサ５０Ａと同様の手順で取り付けられる。これにより、化粧カバー６２は、これの両側壁６２ａ，６２ｂが両防犯センサ５０Ａ，５０Ｂ間の隙間を側方から覆うともに、上壁６２ｃが両防犯センサ間の上方の隙間および支持ポール５４の上端面を覆う配置となる。
【先行技術文献】
【非特許文献】
【０００５】
【非特許文献１】２００８年６月８日付けでオプテックス株式会社発行の施工説明書、フォトエレクトリックディテクタ、ＡＸ−１００ＴＩＩ（Ｊ）ほか
【発明の概要】
【発明が解決しようとする課題】
【０００６】
しかしながら、前記化粧カバー６２には種々の課題がある。第１に、既設の防犯用センサ装置に対して、美観の向上や配線への悪戯を防止する目的で化粧カバーを追加で取り付けたい要望があった場合には、いずれか一方の防犯センサ、例えば第２の防犯センサ５０Ｂを一旦取り外したのちに、化粧カバー取付用のねじ孔６１ａを有する取付プレート６０を取付金具５８Ｂに取り付け、この取付プレート６０に化粧カバー６２を取り付け、取付プレート６０に第２の防犯センサ５０Ｂを再度取り付ける必要がある。この防犯センサ５０Ｂは、支持ポール５４から一旦取り外したことから、対応する防犯センサ（例えば投光器）との光軸合わせ調整などをやり直す必要がある。そのため、既設の防犯用センサ装置に化粧カバー６２を追加で付設するに際しては、施工者に相当の作業負担を強いることになる。
【０００７】
第２に、化粧カバー６２は、いずれか一方の防犯センサ、この例では第２の防犯センサ５０Ｂの取付プレート６０に取り付けられることから、支持ポール５４のポール外径の大小にかかわらず第２の防犯センサ５０Ｂに対し常に一定の相対位置で取り付けられる。したがって、防犯用センサ装置がポール外径の小さい支持ポール５４に支持されている場合には、両防犯センサ５０Ａ，５０Ｂの間の距離（隙間）が小さくなるので、化粧カバー６２が第１の防犯センサ５０Ａ側に必要以上に突出して、第１の防犯センサ５０Ａの側部に大きく重なり、第１の防犯センサ５０Ａの光学系への検知線の一部を遮ったり、化粧カバー６２の突出部分での反射光が光学系に入射したりして、第１の防犯センサ５０Ａが誤動作するおそれがある。そのため、化粧カバー６２の両側壁６２ａ，６２ｂの幅Ｗは必要以上に大きく設定することができない。
【０００８】
一方、これとは反対に、防犯用センサ装置がポール外径の大きい支持ポール５４に支持されている場合には、両防犯センサ５０Ａ，５０Ｂ間の距離（隙間）が大きくなるので、第１の防犯センサ５０Ａ側の一部分が化粧カバー６２で隠蔽できずに外部に露出されて、美観の低下を招くことになる。そのため、化粧カバー６２の両側壁６２ａ，６２ｂの幅Ｗは必要以下に小さく設定することができない。このように、化粧カバー６２の両側壁６２ａ，６２ｂの幅Ｗは所定範囲内に設定する必要があり、それに伴って化粧カバー６２の適用可能な支持ポール５４は、狭い範囲内のポール外径を有するものに限られる。
【０００９】
第３に、化粧カバー６２は、短冊状の板金を曲げ加工して両側壁６２ａ，６２ｂの一端部を上壁６２ｃで接続した形状となっており、上壁６２ｃはポール挿通孔のない単なる矩形状であるため、支持ポール５４の上端部に支持された防犯用センサ装置を覆う用途にしか適用することができない。すなわち、化粧カバー６２に支持ポール５４を挿通させる必要がある、支持ポール５４の上端部以外の中間部に支持された防犯用センサ装置には、取り付けることができない。
【００１０】
本発明は、既設の防犯用センサ装置に対し、これを何ら取り外すことなく覆う配置で容易に取り付けることができ、かつ様々なポール外径にも対応できる化粧カバーを提供することを目的としている。本発明の他の目的は、広い範囲のポール外径を有する支持ポールに取り付いた防犯用センサ装置、および支持ポールの任意の高さ位置に支持された防犯用センサ装置のいずれにも適用可能な化粧カバーを提供することにある。
【課題を解決するための手段】
【００１１】
前記目的を達成するために、本発明に係る防犯用センサ装置の化粧カバーは、支持ポールの一側部および他側部に防犯センサを支持した支持構造において前記両防犯センサ間の隙間を覆う化粧カバーであって、前記支持ポールの長手方向に２分割された一対のカバー片を有し、前記各カバー片が、前後一対の側壁とこれら両側壁の一端部同士を接続する接続壁とを有し、前記一対のカバー片における相対向する他端部同士が着脱自在な連結具により連結されている。
【００１２】
この防犯用センサ装置の化粧カバーでは、一対のカバー片を、両防犯センサ間の隙間を覆うように支持ポールの長手方向に沿って差し込み、各々の相対向する他端部同士を連結具で連結すると、一対のカバー片の各々の両側壁および接続壁が両防犯センサの間の前後および両端の隙間を覆う配置で取り付く。このように、この化粧カバーは、防犯用センサ装置の一部に固定して取り付ける従来の化粧カバーとは異なり、防犯用センサ装置に対し直接的な固定手段を一切用いずに、一対のカバーを互いに連結することで両防犯センサ間を覆う配置で取り付く。したがって、支持ポールに既設の防犯用センサ装置に対して化粧カバーを追加で取り付ける場合には、防犯用センサ装置の一部を支持ポールから取り外す必要がなく、両カバー片の他端部同士を着脱自在な連結具で連結するだけの簡単な作業で容易に防犯用センサ装置に取り付けることができる。しかも、化粧カバーが防犯センサに固定して取り付けられていないから、両防犯センサの隙間の中間位置に化粧カバーの中心を合致させることで、前記隙間を適切に覆うことができる。したがって、一方の防犯センサに化粧カバーを取り付けた場合のように、他方の防犯センサ側に必要以上に突出したり、支持ポールにおける他方の防犯センサの一部分が露呈したりすることがない。そのため、この化粧カバーは、広い範囲のポール外径を有する支持ポールに支持された防犯用センサ装置に支障なく適用することができ、防犯用センサ装置の美観を向上させる。
【００１３】
本発明において、前記各カバー片に、前記両防犯センサにばね力で押し当てられて前記カバー片を両防犯センサ間の中間に位置決めする位置決め機構が設けられていることが好ましい。これにより、化粧カバーは、両センサが支持されている支持ポールのポール外径の大小に応じて異なる両センサ間の隙間に対応して、その隙間の中間に自動的に位置するように位置決めされる。これにより、広い範囲のポール外径に自動的に適切に対応できる。
【００１４】
位置決め機構を有する構成において、前記各位置決め機構は、一方の防犯センサに接触する第１の接触子と、他方の防犯センサに接触する第２の接触子と、前記各接触子を対応する防犯センサに向けて進出させるばね体と、前記各接触子に設けた係止部に進出限界位置で係止して、前記各接触子を進出限界で位置決めする被係止部とを有することが好ましい。これにより、両センサが支持されている支持ポールのポール外径の大小に応じて両センサ間の隙間の大きさが異なっても、両カバー片は、各接触子を対応する防犯センサに向けて進出させる両ばね体のばね力がバランスする位置まで移動されて、両センサ間の隙間の中間に自動的に位置決めされる。
【００１５】
本発明において、前記支持ポールは上下方向に延びており、前記化粧カバーは上側の第１カバー片と下側の第２カバー片とを有し、前記第２カバー片が前記支持ポールに側方から嵌まり込む係合孔を有していることが好ましい。これにより、第２カバー片を、係合孔に支持ポールを側方から嵌まり込ませた状態で、支持ポールにスライドさせながら上方に向け移動させて第１カバー片に連結することにより、両センサ間の隙間を覆う配置とすることができるので、支持ポールに既設の両センサに対して化粧カバーを、容易な操作で取り付けることができる。
【００１６】
本発明において、少なくとも前記第１カバー片の前記接続壁が前記支持ポールを挿通させる挿通孔を選択的に形成させるノックアウト板を有していることが好ましい。これにより、第１のカバー片の接続壁に、ノックアウト板を切除して支持ポールを挿通させる挿通孔を形成すれば、第１カバー片を、支持ポールにおける上端以外の任意の中間位置に支持された両センサに、これの隙間を覆う配置で取り付けることができる。
【００１７】
少なくとも前記第１カバー片の接続壁がノックアウト板を有する構成において、下側の前記第２カバー片の前記接続壁も前記ノックアウト板を有し、さらに、前記各カバー片の前記接続壁が、前記両側壁に一体形成された壁本体と、この壁本体に着脱自在に取り付けられ、前記壁本体に取り付けられたときに前記壁本体との間に前記支持ポールの挿通孔を形成する分離壁とを有することが好ましい。これにより、第１および第２の両カバー片は、共にノックアウト板を有し、かつ、壁本体と分離壁とを有しているので、同一形状のものを共用することができるから、成形金型の費用を低減することができ、また、両カバー片は、化粧カバーを中間位置で２分割したものとなって形状を小さくできるので、梱包形状を小さくして輸送費の低減を図ることができる。
【発明の効果】
【００１８】
本発明の防犯用センサ装置の化粧カバーによれば、支持ポールの長手方向に２分割された一対のカバー片を、支持ポールに支持された両防犯センサ間の隙間を覆うように配置して、各々の相対向する他端部同士を連結具で連結することにより、両防犯センサ間の前後および両端の隙間を覆う配置で取り付けることできるから、防犯用センサ装置の一部に固定して取り付ける従来の化粧カバーとは異なり、防犯用センサ装置に対し直接的な固定手段を一切用いずに、一対のカバーを互いに連結することで両防犯センサ間を覆う配置で取り付く。したがって、支持ポールに既設の防犯用センサ装置に化粧カバーを追加で取り付ける場合に、防犯用センサ装置の一部を支持ポールから取り外す必要がなく、両カバー片の他端部同士を着脱自在な連結具で連結するだけの簡単な作業で、化粧カバーを容易に防犯用センサ装置に取り付けることができる。したがって、支持ポールに既設の防犯用センサ装置に対して化粧カバーを追加で取り付ける場合には、防犯用センサ装置の一部を支持ポールから取り外す必要がなく、両カバー片の他端部同士を着脱自在な連結具で連結するだけの簡単な作業で容易に防犯用センサ装置に取り付けることができる。また、化粧カバーが防犯センサに固定して取り付けられていないから、両防犯センサの隙間の中間に化粧カバーの中心を合致させることで、前記隙間を適切に覆うことができるので、広い範囲のポール外径に対応することができ、防犯用センサ装置の美観を向上させる。
【図面の簡単な説明】
【００１９】
【図１】本発明の一実施形態の化粧カバーが取り付けられた防犯用センサ装置を示す斜視図である。
【図２】図１の分解斜視図である。
【図３】同上の化粧カバーの分解斜視図である。
【図４】同上の化粧カバーに設けられた位置決め機構の接触子およびばね体を示す分解斜視図である。
【図５】同上の位置決め機構の要部を示す、図２のIV方向から見た斜視図である。
【図６】同上の位置決め機構の縦断面図である。
【図７】支持ポールに防犯センサを取り付ける手順を示す斜視図である。
【図８】同上の防犯センサに従来の化粧カバーを取り付ける手順を示す斜視図である。
【発明を実施するための形態】
【００２０】
以下、本発明の好ましい実施形態について図面を参照しながら詳細に説明する。
図１は本発明の一実施形態に係る樹脂製の化粧カバー１が取り付けられた防犯用センサ装置を示す斜視図であり、同図において、図７および図８と同一若しくは相当するものに同一の符号を付して、重複する説明を省略する。図１の化粧カバー１は、地面に立設された支持ポール５４の一側部および他側部に支持された２つの防犯センサ５０Ａ，５０Ｂ間の隙間を覆うように取り付けられるものであって、支持ポール５４の長手方向（この実施形態では上下方向）に２分割された一対のカバー片２，３を有している。この実施形態において、上側の第１カバー片２および下側の第２カバー片３は同一形状であり、したがって、各カバー片２，３は、化粧カバー１を長手方向の中間で２分割したものとなる。両カバー片２，３における相対向する他端部同士が着脱自在な連結具４により連結されて、化粧カバー１が形成される。
【００２１】
図２は図１の分解斜視図を示す。第１および第２の防犯センサ５０Ａ，５０Ｂは、図７で説明したと同様の手順で支持ポール５４の一側部および他側部に背中合わせの配置で支持される。すなわち、第１の防犯センサ５０Ａの取付プレート５１が、これの挿通孔５１ａに挿通したねじ体５９を、半円形状に湾曲された形状を有して支持ポール５４に当てがわれた取付金具５８の両端部のねじ孔５８ａにねじ込むことにより、支持ポール５４に固定される。つぎに、第１の防犯センサ５０Ａのセンサ本体５２がねじ体（図示せず）の締結により取付プレート５１に取り付けられ、このセンサ本体５２および取付プレート５１にセンサカバー５３を被せてねじ体（図示せず）を締結することにより、第１の防犯センサ５０Ａが支持ポール５４に支持される。第２の防犯センサ５０Ｂも同様の手順で支持ポール５４に取り付けられる。両防犯センサ５０Ａ，５０Ｂの配線は、例えば、支持ポール５４に設けた図示しない貫通孔に挿通されて、支持ポール５４の中空部を通る。
【００２２】
第１および第２の防犯センサ５０Ａ，５０Ｂは一般に両方とも投光器または両方とも受光器である。他方、各防犯センサ５０Ａ，５０Ｂに対向して、別の２つの支持ポールのそれぞれに、一つの受光器または投光器が配置されている。ただし、背中合わせの両防犯センサ５０Ａ，５０Ｂの一方を投光器、他方を受光器としてもよい。投光器の場合、センサ本体５２には、赤外線のような検知線を発する投光素子、その駆動回路、検知線の投光用レンズ等が組み込まれる。受光器の場合、センサ本体５２には、前記検知線を受光する受光素子、受光素子からの電気信号を処理する受光回路、検知線の受光用レンズ等が組み込まれる。投光器から受光器へ投射された検知線の遮断により、侵入者を検知する。
【００２３】
化粧カバー１の第１および第２カバー片２，３は、相対向する前後一対の第１および第２側壁８，９と、この両側壁８，９の一端部同士を互いに接続する接続壁１０とを有している。互いに同一の形状を有する各カバー片２，３は、これらの一方に対して、他方を１８０°回動させて上下逆にして相対向する相対配置とされる。したがって、各カバー片２，３は、各々の第１側壁８と各々の第２側壁９とが相対向する配置で互いに連結される。各カバー片２，３の第１側壁８には、これの他端部の左右方向中央部から接続片１１が一体に突設されており、この接続片１１に、これの内面から内方に向け突出する円筒状の連結用ボス１２が形成されている。第２側壁９には、他端部の近傍箇所に連結具４（図１）の挿通孔１３が穿孔されている。また、第２側壁９には、これの内面における挿通孔１３の両側位置に複数のガイド突片１４が形成されているが、これの詳細についても後述する。
【００２４】
図３は化粧カバー１の分解斜視図を示す。第２側壁の内面における挿通孔１３の両側位置には、接続片１１を上下方向（支持ポール５４の長手方向）に通すことのできるＬ字形の保持突片１４が、挿通孔１３の両側位置に２つずつ形成されている。各保持突片１４は、接続片１１の左右両側部に係合して各カバー片２，３の相対的な傾きを防止するとともに、カバー片２，３の各々の側壁８，９の他端面が互いに突き合わされたときに、連結用ボス１２が挿通孔１３に合致するように位置決めする。互いに合致した状態の挿通孔１３に、連結具４を挿通して連結用ボス１２にねじ込むことにより、両ガイド片２，３が連結されて化粧カバー１が形成される。連結具４として、この実施形態では、連結用ボス１２にねじ込まれるタッピングスクリューが用いられている。
【００２５】
各カバー片２，３の接続壁１０は、壁本体１０ａと分離壁１８とを有している。壁本体１０ａは、カバー片２，３の一対の側壁８，９に一体形成されて両側壁８，９を連結している。分離壁１８は、カバー片２，３とは別体に形成されたものであって、カバー片２，３に着脱自在に取り付けられる。接続壁１０は、ポール外径が異なる２種の支持ポール５４を選択的に挿通させることのできる形状に変更可能になっている。すなわち、壁本体１０ａには、ポール外径の小さい支持ポール５４に側方から嵌まり込む半円形状の係合孔１０ｂが形成されており、この係合孔１０ｂよりも径の大きな半円形状の薄肉に形成されたノックアウト部１０ｃが係合孔１０ｂと同心状の配置で設けられている。したがって、ノックアウト部１０ｃに沿って切断してこれの内側部分を切除すれば、壁本体１０ａの係合孔１０ｂが、ポール外径の大きな支持ポール５４に側方（径方向）から嵌まり込むことのできる大きな内径を有する半円形状となる。
【００２６】
一方、分離壁１８は、下方の第２カバー片３について明示したように、壁本体１０ａに取り付けられる。すなわち、分離壁１８は、壁本体１０ａに対し接続壁１０の一部を構成するように配置されたときに、これの内面に形成された取付部２１が壁本体１０ａの支持ボス部１０ｄに合致し、この状態で、取付具の一例であるタッピングスクリュー１９を取付部２１を介し支持ボス部１０ｄにねじ込むことにより、壁本体１０ａに連結されて、接続壁１０が形成される。この分離壁１８は、上側の第１カバー片２について示すように、壁本体１０の半円形状の係合孔１０ｂと同一の径を有する円形のノックアット板２０を有しており、このノックアット板２０は、一方の半部が分離壁１８から突出され、他方の円部が薄肉の半円形状に形成された小径ノックアウト部２２を介して分離壁１８に連接されている。さらに、分離壁１８には、壁本体１０ａのノックアウト部１０ｃと同一の径を有する薄肉の半円形状を有する大径ノックアウト部２４が、小径ノックアウト部２２に対し同心状の配置で形成されている。
【００２７】
一対の防犯センセ５０Ａ，５０Ｂが支持ポール５４の上端部に支持されている場合、上側の第１カバー片２の接続壁１０は、分離壁１８をそのまま壁本体１０ａに連接することにより、ノックアウト板２０の半円状に突出した半部が壁本体１０ａの係合孔１０ｂに嵌まり込んで矩形平板状とされ、この矩形平板状の接続壁１０が支持ポール５４の上端面（図２）の全体を覆う。
【００２８】
このとき、下側の第２カバー片３の接続壁１０は以下のように形成される。すなわち、支持ポール５４が小さなポール外径のものである場合には、第２カバー片３の壁本体１０ａの係合孔１０ｂに側方から支持ポール５４を嵌まり込ませることにより第２カバー片３を支持ポール５４に当てがう。他方、分離壁１８のノックアウト板２０を小径ノックアウト部２２に沿って切除し、この分離壁１８をタッピングスクリュー１９によって壁本体１０ａに連結する。これにより、下側の第２カバー片３の接続壁１０は、図３のように壁本体１０の係合孔１０ｂと分離壁１８の小径ノックアウト部２２の外径面に合致した内周面２２ａとにより、ポール外径の小さな支持ポール５４が挿通した挿通孔２３Ａが形成される。
【００２９】
さらに、支持ポール５４のポール外径が大きい場合、第２カバー片３の壁本体１０ａを、大径のノックアウト部１０ｃに沿って切断してノックアウト部１０ｃの外側部分を切除することにより、係合孔１０が大きな内径となる。これに合わせて、分離壁１８のノックアウト板２０を大径ノックアウト部２４に沿って切除する。これにより、第２カバー片３の接続壁１０には、壁本体１０の径の大きな係合孔と、分離壁１８の大径ノックアウト部２４の外径面に合致した内周面とにより、ポール外径の大きな支持ポール５４を挿通させる挿通孔２３Ｂが形成される。
【００３０】
また、一対の防犯センサ５０Ａ，５０Ｂが支持ポール５４の上端部から下方の中間位置に支持されている場合（図２の場合）、上側の第１カバー片２についても、第２カバー片３の場合と同様に、壁本体１０ａの係合孔１０ｂまたはノックアウト部１０ｃと、分離壁１８の小径ノックアウト部２２または大径ノックアウト部２４の選択とにより、ポール外径が小径または大径の支持ポール５４に適合させて、第１カバー片２に挿通孔２３Ａまたは２３Ｂを形成し、この挿通孔２３Ａまたは２３Ｂに支持ポール５４を挿通させる。
【００３１】
このように、カバー片２，３の接続壁１０が、両側壁８，９に一体形成された壁本体１０ａと、ノックアウト板２０を有して壁本体１０ａに着脱自在に取り付けられる分離壁１８とを有する構成として、ノックアウト板２０の有無および大きさが選択された分離壁１８を壁本体１０ａに取り付けることにより、上側の第１カバー片２および下側の第２カバー片３として同一形状のものを共用することが可能になっている。
【００３２】
カバー片２，３は、防犯センサ５０Ａ，５０Ｂに対して何ら固定されないことから、支持ポール５４とカバー片２，３の挿通孔２３Ａ，２３Ｂとの隙間（図６のＳ）に相当する距離だけ側壁８，９の幅方向（左右方向）に移動する。そこで、カバー片２，３の両側壁８，９の対向内面における接続壁１０の近傍箇所には、それぞれ同一構成の位置決め機構２８が設けられている。この位置決め機構２８は、側壁８，９の内面に形成された機構収容部２９に、一対の接触子３０A，３０Bが両側開口から移動自在に突出する配置で収容され、各接触子３０A，３０Bが同一のばね力で対応する防犯センサ５０Ａ，５０Ｂの裏面に押し当てられることにより、カバー片２，３を両防犯センサ５０Ａ，５０Ｂ間の中間位置に位置決めするよう機能する。
【００３３】
つぎに、前記位置決め機構２８の詳細について、図４ないし図６を参照しながら説明する。図４は、一対の接触子３０Ａ，３０ＢＡ，３０Ｂおよびばね体３１における機構収容部２９の内部に収容されるときの相対配置を示す。ばね体３１として、この実施形態において同一のコイルスプリングが用いられている。したがって、一対のばね体３１，３１のばね力は同じである。一方、一対の接触子３０Ａ，３０Ｂは、同一形状の樹脂製であり、一方に対して他方を反転させた、つまり接触子３０Ａ，３０Ｂの移動方向に沿った軸心Ｃ１の回りに１８０°回転させた配置で、相対向させて機構収容部２９（図３）内に収容される。この接触子３０Ａ，３０Ｂには、ほぼ三角形状の外形を有し、その先端に接触端部３０ａが設けられている。
【００３４】
前記接触端部３０ａは、対応する防犯センサ５０Ａ，５０Ｂの取付プレート５１の裏面５１ｂに押し当てられる。接触端部３０ａの両側方の表裏面には、段差部３０ｂ，３０ｂがそれぞれ形成されており、この段差部３０ｂ，３０ｂの間に、ばね体３１の一端部が挿入される円形凹所からなるばね受部３０ｃが設けられている。各段差部３０ｂのさらに外側にはアーム３０ｄが突設され、その先端に、係止部を形成する係止爪３０ｅが設けられている。軸心Ｃ１を挟んでアーム２９ｄと反対側には、矩形板状のガイド板部３０ｆが突設されている。
【００３５】
図５は、下側の第２カバー片３の機構収容部２９を図３の矢印ＩＶ方向から見た斜視図である。同図において、位置決め機構２８の各接触子３０Ａ，３０Ｂおよびばね体３１は除外されている。機構収容部２９は、第２側壁９からこれの直交方向に向け互いに平行に延設された一対の短壁部３２，３３と、第２側壁９に平行な配置で両短壁部３２，３３の先端部を互いに接続する長壁部３４とを有し、第２側壁９と共に、両端（図５の表裏方向）に開口部Ｐ１，Ｐ２を持つ直方体形状の箱形になっている。
【００３６】
一方の短壁部３２の内側面には、機構収容部２９の高さ、つまりこの短壁部３２の長さがほぼ半分の高さを有する一対の広幅ガイドレール３８Ａ，３８Ｂと、これよりも低い小幅ガイドレール３９Ａ，３９Ｂとが一体形成されている。広幅ガイドレール３８Ａは開口部Ｐ１から奥へ向かって延び、両開口部Ｐ１，Ｐ２の中間部で終端しており、この終端部３８Ａａから開口部Ｐ２まで、小幅ガイドレール３９Ｂが延びている。被係止部である前記終端部３８Ａａに、図４の接触子３０Ａの上側の係止爪３０ｅが係止される。同様に、図５のＰ２側の広幅ガイドレール３８Ｂは開口部Ｐ２から奥（図５の手前）へ向かって延び、両開口部Ｐ１，Ｐ２の中間部で終端しており、この終端部（被係止部）３８Ｂａから開口部Ｐ２まで、小幅ガイドレール３９Ａが延びている。他方の短壁部３３の内側面にも、上述の一方の短壁部３２と同一形状の一対の広幅ガイドレール３８Ａ，３８Ｂおよび小幅ガイドレール３９Ａ，３９Ｂが、一方の短壁部３２に対し点対称の配置で形成されている。
【００３７】
両短壁部３２，３３の中間部には、長壁部３４と第２側壁９とを互いに連結する矩形板状の仕切り壁部４０が一体形成されている。この仕切り壁部４０の開口部Ｐ１，Ｐ２側に向いた主面の各中央部に、図４のばね体３１の他端部を支持する十字形の支持突部４１がそれぞれ一体形成されている。さらに、仕切り壁部４０には、矩形状の両主面における対角線上の両側の角部からそれぞれ側壁９および長壁部３４に沿って開口部Ｐ１，Ｐ２へ向かって延びる短冊状のガイド片４２，４２が一体形成されている。ガイド片４２は、図４の接触子３０Ａ，３０Ｂの段差部３０ｂの低位側に接触することにより、接触子３０Ａ，３０Ｂを移動方向（図３の左右方向）に沿ってガイドする。なお、図３の第１カバー片２の機構収容部２９も、第２カバー片３の機構収容部２９と同一の構成である。
【００３８】
位置決め機構２８は、対の接触子３０Ａ，３０Ｂが図４に示す相対配置で、かつ、各々のばね受け部３０ｃにばね体３１の一端部を挿入して支持した状態で、ばね体３１のばね力に抗して、図５の機構収容部２９内にこれの両側の開口部Ｐ１，Ｐ２からそれぞれ押し込まれる。開口部Ｐ１から挿入された一方の接触子３０Ａの両側の一対のアーム３０ｄは、先端の係止爪３０ｅが図５の機構収容部２９の両側の広幅ガイドレール３８Ａの内側面に摺接するのに伴って、自身の弾性により図４の軸心Ｃ１側に向け僅かに変形し、係止爪３０ｅが広幅ガイドレール３８Ａを通過した時点で弾性復帰し、係止爪３０ｅを終端部（被係止部）３８Ａａに係止させる。これにより、接触子３０Ａが機構収容部２９内に位置決めされた状態で収容される。他方の接触子３０Ｂも同様に開口部Ｐ２から機構収容部２９内に収容される。
【００３９】
こうして、図６に示すように、各接触子３０Ａ，３０Ｂは、両防犯センサ５０Ａ，５０Ｂ間に位置したとき、防犯センサ５０Ａ，５０Ｂの裏面、つまり取付プレート５１の裏面５１ｂによって内方へ押し込まれて、圧縮されたばね体３１の復元力により、接触端部３０ａが取付プレート５１に押し当てられる。これにより、両防犯センサ５０Ａ，５０Ｂ間の隙間Ｓに対し、その中間位置にカバー片２、３が位置決めされる。
【００４０】
上記構成において、図１に示す化粧カバー１は、支持ポール５４の長手方向に２分割された一対のカバー片２，３を有し、両カバー片２，３の他端部同士を着脱自在な連結具４で連結することにより、支持ポール５４に支持された両防犯センサ５０Ａ，５０Ｂ間の隙間を覆う配置で取り付けられる。すなわち、この化粧カバー１は、防犯センサ５０Ａ，５０Ｂに対し直接的な固定手段を一切用いずに、一対のカバー片２，３を互いに連結するだけで両防犯センサ５０Ａ，５０Ｂ間を覆うように取り付けることができる。したがって、支持ポール５４に既設の防犯用センサ装置に対して追加で取り付ける場合、既設の防犯用センサ装置の一部を支持ポール５４から一切取り外す必要がなく、両カバー片２，３の他端部同士を着脱自在な連結具４で連結するだけの簡単な作業で、化粧カバー１を防犯用センサ装置に容易に取り付けることができる。同様の理由で、化粧カバー１を防犯用センサ装置から取り外す作業も容易になる。
【００４１】
また、各カバー片２，３に、図２の両防犯センサ５０Ａ，５０Ｂにばね力で押し当てられてカバー片２，３を両取付プレート５１間の中間に位置決めする位置決め機構２８を設けているので、支持ポール５４のポール外径の大小に応じて両防犯センサ５０Ａ，５０Ｂ間の隙間の大きさが異なっても、両カバー片２，３が、図３の両ばね体３１，３１のばね力がバランスする位置、つまり図６の両防犯センサ５０Ａ，５０Ｂ間の隙間Ｓの中間位置に自動的に位置決めされる。そのため、この化粧カバー１は、広い範囲のポール外径を有する支持ポール５４に支持された両防犯センサ５０Ａ，５０Ｂに使用されて、隙間Ｓを前後方向および上下方向から十分に覆うことができ、これによって、防犯用センサ装置の美観が向上する。しかも、簡単な構造により所要の機能を有する位置決め機構２８を得ることできる。
これとは異なり、一方の防犯センサに化粧カバーを取り付けた場合には、他方の防犯センサ側に必要以上に突出したり、支持ポールにおける他方の防犯センサの一部分が露呈したりして、美観が損なわれる。なお、位置決め機構２８を有しない場合でも、両防犯センサ５０A、５０Bの隙間Sの中間位置に化粧カバー１の左右方向の中心を合致させることで、前記隙間Sを適切に覆うことができる。
【００４２】
さらにまた、図３の下側の第２カバー片３が支持ポール５４に側方から嵌まり込む係合孔１０ｂを有しているので、第２カバー片３を、その係合孔１０ｂに支持ポール５４を側方から嵌めた状態で、支持ポール５４にスライドさせながら上方に向け移動させて両防犯センサ５０Ａ，５０Ｂ間の隙間を覆う位置に配置することができるので、支持ポール５４に既設の両防犯センサ５０Ａ，５０Ｂに対して、容易な作業で取り付けることができる。
【００４３】
また、図３の上側の第１カバー２の接続壁１０が挿通孔２３を選択的に形成させるノックアウト板２０を有しているので、第１カバー片２の接続壁１０をノックアウト板２０を残して使用すれば、支持ポール５４の上端に支持された両防犯センサ５０Ａ，５０Ｂ間の隙間を覆う用途に用いることができ、一方、ノックアウト板２０を切除して支持ポール５４を挿通させる挿通孔２３Ａ，２３Ｂを形成すれば、第１カバー片２を、支持ポール５４における上端以外の任意の中間位置に支持された両防犯センサ５０Ａ，５０Ｂ間に配置して、その隙間を覆う用途に用いることができる。
【００４４】
また、各カバー片２，３の接続壁１０を、両側壁８，９に一体形成された壁本体１０ａと、この壁本体１０ａに着脱自在に取り付けられて壁本体１０ａとの間に支持ポール５４の挿通孔２３Ａ，２３Ｂを形成する分離壁１８とにより形成するとともに、分離壁１８がノックアット板２０を有しているので、各カバー片２，３として同一のものを共用することができるから、成形金型の費用を低減することができる。さらに、両カバー片２，３は、化粧カバー１を中間位置で２分割したものとなって形状を小さくできるので、梱包形状を小さくして輸送費の低減を図ることができる。
【００４５】
本発明は上述した実施形態に限らず、本発明の趣旨を逸脱しない範囲内で、種々の追加、変更または削除が可能であり、そのようなものも本発明の範囲内に含まれる。
【符号の説明】
【００４６】
１  化粧カバー
２  第１カバー片
３  第２カバー片
４  連結具
８，９  側壁
１０  接続壁
１０ａ  壁本体
１０ｂ  係合孔
１８  分離壁
２０  ノックアウト板
２３Ａ，２３Ｂ  挿通孔
２８  位置決め機構
２９ｅ  係止爪（係止部）
３０Ａ  第１の接触子
３０Ｂ  第２の接触子
３１  ばね体
３８Ａａ，３８ｂａ  被係止部
５０Ａ，５０Ｂ  防犯センサ
５４  支持ポール
【図１】
0005842222.tif 000002
【図２】
0005842222.tif 000003
【図３】
0005842222.tif 000004
【図４】
0005842222.tif 000005
【図５】
0005842222.tif 000006
【図６】
0005842222.tif 000007
【図７】
0005842222.tif 000008
【図８】
0005842222.tif 000009